(57)【要約】【課題】  糸に折りぐせや傷をつけることなく魚釣り用仕掛けを巻きつけ保管することができる巻き板を提供する。【解決手段】  小間隔をあけて平行の２枚の弾性矩形薄外板の間に、多数枚の桟を、互に等間隔をあけ且つ該矩形外板の一辺と平行に向けて、それぞれ連結してなる弾性合成樹脂製段ボール状矩形地板を形成し、  上記地板の表裏両面に、柔軟弾性シートからなるパッドを接着して巻き板とし、  上記巻き板における上記桟と平行の方向を主たる仕掛け巻きつけ方向とした、魚釣り用仕掛け巻き板。【選択図】    図１
0003136100.tif 000002
【実用新案登録請求の範囲】
【請求項１】
小間隔をあけて平行の２枚の弾性矩形薄外板の間に、多数枚の桟を、互に等間隔をあけ且つ該矩形外板の一辺と平行に向けて、それぞれ連結してなる弾性合成樹脂製段ボール状矩形地板を形成し、
上記地板の表裏両面に、柔軟弾性シートからなるパッドを接着して巻き板とし、
上記巻き板における上記桟と平行の方向を主たる仕掛け巻きつけ方向とした、
魚釣り用仕掛け巻き板。
【請求項２】
上記巻き板における仕掛け巻きつけ方向と平行の一側端に、該巻き板面の一部又は全面を覆う広さのカバーを折り重ね自在に接続した、
請求項１に記載の魚釣り用仕掛け巻き板。
【考案の詳細な説明】
【技術分野】
【０００１】
本考案は、イカ釣り用仕掛け，タイ釣り用仕掛け，その他種々の魚釣り用仕掛けの巻き板に関する。
【背景技術】
【０００２】
従来、この種の魚釣り用仕掛けの巻き板として、硬質合成樹脂製の矩形板からなる地板の表裏両面に、合成樹脂発泡体シートからなるパッドを接着し、該矩形板の相対する両端辺に、複数の糸掛け用凹部及び糸止め用切込みを形成した構造のものが知られており、使用においては、まず針を上記パッドの適所に係止し、ついで糸を相対する糸掛け用凹部内に通して巻き板に巻きつけ、その糸の端部を糸止め用切込み内に押しこんで保持するものであった。
【０００３】
しかし、上記の従来巻き板では、糸を巻き板に巻きつけた際、硬質地板の端縁に沿って糸を鋭角に折り返すこととなるため、糸に折りぐせをつけたり、時には、折り傷をつけ、糸切断の危険を招くことがあった。
【０００４】
さらには、従来巻き板は、釣り針等の仕掛けを巻き板表面に露出させたまま巻きつけるものであるため、仕掛け自体が他物と衝突して破損する恐れがあるばかりでなく、人体に触れて傷つける危険もあった。
【考案の開示】
【考案が解決しようとする課題】
【０００５】
本願第１考案は、糸に折りぐせや折り傷をつけることなく、確実に魚釣り用仕掛けを巻きつけ保管することができる巻き板を提供することを課題とし、
【０００６】
本願第２考案は、上記第１考案の課題に加え、釣り針等の仕掛けを安全に巻きつけ保管することができる巻き板を提供することを課題とする。
【課題を解決するための手段】
【０００７】
そこで、本願第１考案は、
小間隔をあけて平行の２枚の弾性矩形薄外板の間に、多数枚の桟を、互に等間隔をあけ且つ該矩形外板の一辺と平行に向けて、それぞれ連結してなる弾性合成樹脂製段ボール状矩形地板を形成し、
上記地板の表裏両面に、柔軟弾性シートからなるパットを接着して巻き板とし、
上記巻き板における上記桟と平行の方向を主たる仕掛け巻きつけ方向とした、
魚釣り用仕掛け巻き板を提案し、
【０００８】
本願第２考案は、
上記巻き板における仕掛け巻きつけ方向と平行の一側端に、該巻き板面の一部又は全面を覆う広さのカバーを折り重ね自在に接続した、
魚釣り用仕掛け巻き板を提案する。
【考案の効果】
【０００９】
本願第１考案の魚釣り用仕掛け巻き板によれば、仕掛けを、巻き板の桟と平行の仕掛け巻きつけ方向に沿って巻きつけると、巻き板の折り返し端部において、巻きつけられた糸圧により、隣り合う２枚の桟の間における両面の弾性薄外板がそれぞれ内側に弾性的に変位して凹み、それにより巻きつけられた糸を弧状に折り返し、従来のような折りぐせや折り傷をつける欠点を解消することができると共に、巻きつけられた糸を上記凹み内に保持して、隣りの糸と絡まることなく確実に保持することができるのである。
【００１０】
本願第２考案の魚釣り用仕掛け巻き板によれば、上記第１考案の効果に加え、カバーを巻き板面に折り重ねることにより、仕掛けが他物に触れて破損するおそれを防止すると共に、釣り針等の仕掛けが人体に触れて傷つける危険も防止することができるのである。
【考案を実施するための最良の形態】
【００１１】
本考案における上記「段ボール状矩形地板」は、ポリプロピレン系、ポリアミド系その他種々の弾性合成樹脂でつくられた段ボール状構造を有するもので、好ましくは押出し成形によるものが使用される。
【００１２】
又、地板の両面に接着する「パッド」には、スチロール系、ウレタン系等の合成樹脂発泡体シート、柔軟ゴム又は柔軟合成樹脂シート等の柔軟弾性シートが使用される。
【００１３】
さらに、上記「カバー」は、上記巻き板の一側端から、該巻き板と同一材料からなるカバーを折り目を介して延出したもの、又は上記巻き板と異なる材料からなるカバーを折り重ね自在に接続したもの、その他種々の構造のものがある。
【実施例】
【００１４】
以下図面を参照して本考案の実施例について詳述する。図１、２において、地板（１）は、ポリプロピレン樹脂製の段ボール状の矩形板で、小間隔をあけて平行に対面させた２枚の弾性矩形薄外板（２）、（２）の間に、多数枚の細長方形板の桟（３）…を、互に等間隔をあけ且つ上記外板（２）、（２）の一辺と平行に向けて、それぞれ上記外板（２）、（２）と連結してなる押出し成形板である。
【００１５】
上記の地板（１）の表裏両面すなわち外板（２）、（２）の外側面に、本例ではスチロール樹脂発泡体シートからなる柔軟弾性シートのパッド（４）、（４）をそれぞれ接着して、巻き板本体とし、この巻き板本体における地板（１）の桟（３）…と直交する両端辺に、広く凹んだ糸掛け用凹部（５）、（５）を形成すると共に、その両端の突起部に糸止め用切込み（６）、（６）をそれぞれ形成して仕掛け巻き板（Ａ）としてある。
【００１６】
（７）…は巻き板本体における上記桟（３）…と平行の一側端に形成した予備的糸掛け凹部である。
【００１７】
上例の作用を使用例とともに次に説明する。一例としてイカ釣り用仕掛けの場合は、図１に示すようにイカ釣り針（ａ）をパッド（４）の適所に係止し、ついで糸（ｂ）を糸掛け用凹部（５）に直交する糸巻き方向に向けて凹部（５）、（５）に巻き掛けていき、そして糸端部を切込み（６）に押しこんで糸止めする。
【００１８】
この場合、糸掛け用凹部（５）、（５）における糸の折り返し部分において、巻きつけられた糸の圧力により、図３に示すように隣り合う２枚の桟（３）、（３）の間に位置する両面の弾性薄外板（２）、（２）部分が、それぞれ内側に弾性的に凹み、それにより巻きつけられた糸を弧状に湾曲させて折り返し、従来のような糸に折りぐせや折り傷をつけることはない。又、巻きつけられた糸を上記外板（２）、（２）の凹み内に保持して、隣りの糸と絡まることなく確実に保持する。
【００１９】
図４に示す他の実施例は、弾性合成樹脂製段ボール状矩形板の２枚（１ａ）、（１ａ）を各一面の外板（２ａ）、（２ａ）において接着剤により接着して２枚重ねの地板とした例で、その外板（２ａ）、（２ａ）を接着する接着剤に、シリコン系等の柔軟弾性を維持できる接着剤を使用して、接着する外板（２ａ）、（２ａ）の糸掛け用凹部（５ａ）がわ端部から図示のように接着剤を浸出させ、該浸出した柔軟弾性材（８ａ）により糸の折りぐせ、折り傷を防止するようにした例である。他の構造は図１、２、３と実質的に同一である。
【００２０】
図５に示す他の例は、巻き板（Ａｂ）における仕掛け巻きつけ方向と平行の一側端から、上記巻き板（Ａｂ）と同じ材質で且つ巻き板（Ａｂ）の本例では半面を覆う面積のカバー（９ｂ）を折り目（１０ｂ）を介して巻き板（Ａｂ）面に折り重ね自在に延出した例で、上記カバー（９ａ）を釣り針等の仕掛けが露出状態で係止されている面に折り重ねることにより、仕掛けが他物に触れることを防止し、又仕掛けが人体に触れる危険をも防止する。
【００２１】
上記カバー（９ｂ）を折り重ね状態に保持する手段として、一例としてカバー（９ｂ）の端部に、図示のように輪ゴム等の弾性係止バンド（１１ｂ）を取りつけ、該係止バンド（１１ｂ）をカバー（９ｂ）と巻き板（Ａｂ）に掛け回して保持する。他の構造は図１、２、３と実質的に同一である。
【図面の簡単な説明】
【００２２】
【図１】本考案による魚釣り用仕掛け巻き板の切欠斜面図である。
【図２】図１のＡ−Ａ線拡大断面図である。
【図３】糸巻きつけ状態の巻き板端部の拡大断面図である。
【図４】２枚重ね地板の拡大断面図である。
【図５】カバーつき巻き板の斜面図ある。
【符号の説明】
【００２３】
１、１ａ、１ｂ  地板
２、２ａ、２ｂ  弾性矩形薄外板
３、３ａ、３ｂ  桟
４、４ａ、４ｂ  パッド
Ａ、Ａａ、Ａｂ  巻き板
９ｂ  カバー
【図１】
0003136100.tif 000003
【図２】
0003136100.tif 000004
【図３】
0003136100.tif 000005
【図４】
0003136100.tif 000006
【図５】
0003136100.tif 000007